(57)【要約】【課題】磁気テープを回転ドラムに巻き付けるための巻付機構の構造の簡略化が可能で、しかもテープ幅が互いに異なる複数種類の磁気テープを用いての信号の記録を正確に行い得るヘッド装置を提供する。【解決手段】回転ドラム５２の外周部を回転ドラム５２の厚み方向で複数に区画して回転ドラム５２の周方向に沿って環状となる第１環状領域６１ａおよび第２環状領域６１ｂに記録ヘッド５３ａ〜５３ｄがＮ個（Ｎは１以上の自然数：例えば２個）ずつ配設され、磁気テープの記録面に対する信号の記録をヘリカルスキャン方式で実行可能に構成されている。【選択図】図７
2009026373.tif 000002
【特許請求の範囲】
【請求項１】
回転ドラムと、当該回転ドラムの外周部に配設された記録ヘッドとを備えて、磁気テープの記録面に対する信号の記録をヘリカルスキャン方式で行うヘッド装置であって、
前記回転ドラムには、前記外周部を当該回転ドラムの厚み方向で複数に区画して当該回転ドラムの周方向に沿って環状となる各環状領域に前記記録ヘッドがＮ個（Ｎは１以上の自然数）ずつ配設されているヘッド装置。
【請求項２】
前記回転ドラムには、前記各環状領域に前記記録ヘッドが複数ずつ配設され、
当該各記録ヘッドは、前記各環状領域において前記回転ドラムの回転中心軸を中心とする同一円周に沿って等間隔に配列されている請求項１記載のヘッド装置。
【請求項３】
回転ドラムと、当該回転ドラムの外周部に配設された再生ヘッドとを備えて、磁気テープの記録面に記録されている信号の再生をヘリカルスキャン方式で行うヘッド装置であって、
前記回転ドラムには、前記外周部を当該回転ドラムの厚み方向で複数に区画して当該回転ドラムの周方向に沿って環状となる各環状領域に前記再生ヘッドがＮ個（Ｎは１以上の自然数）ずつ配設されているヘッド装置。
【請求項４】
前記回転ドラムには、前記各環状領域に前記再生ヘッドが複数ずつ配設され、
当該各再生ヘッドは、前記各環状領域において前記回転ドラムの回転中心軸を中心とする同一円周に沿って等間隔に配列されている請求項３記載のヘッド装置。
【請求項５】
回転ドラムと、当該回転ドラムの外周部に配設された記録ヘッドおよび再生ヘッドとを備えて、磁気テープの記録面に対する信号の記録および当該記録面に記録されている当該信号の再生をヘリカルスキャン方式で行うヘッド装置であって、
前記回転ドラムには、前記外周部を当該回転ドラムの厚み方向で複数に区画して当該回転ドラムの周方向に沿って環状となる各環状領域に前記記録ヘッドがＮ個（Ｎは１以上の自然数）ずつ配設されると共に、前記各環状領域に前記再生ヘッドがＮ個ずつ配設されているヘッド装置。
【請求項６】
前記回転ドラムには、前記各環状領域に前記記録ヘッドおよび前記再生ヘッドがそれぞれ複数ずつ配設され、
当該各記録ヘッドおよび当該各再生ヘッドは、前記各環状領域において前記回転ドラムの回転中心軸を中心とする同一円周に沿って等間隔に配列されている請求項５記載のヘッド装置。
【請求項７】
請求項１または２記載のヘッド装置と、前記磁気テープを当該ヘッド装置の回転ドラムに巻き付ける巻き付け機構と、テープ幅が互いに異なる複数種類の前記磁気テープに対する前記信号の記録を前記ヘッド装置に行わせる記録処理を実行するヘッド制御部とを備えたドライブ装置であって、
前記巻き付け機構は、前記記録処理の実行時において前記各種類の磁気テープに対してそれぞれ同じ巻き付け長で前記回転ドラムに巻き付け、
前記ヘッド制御部は、前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行するドライブ装置。
【請求項８】
請求項３または４記載のヘッド装置と、前記磁気テープを当該ヘッド装置の回転ドラムに巻き付ける巻き付け機構と、テープ幅が互いに異なる複数種類の前記磁気テープに記録されている前記信号の再生を前記ヘッド装置に行わせる再生処理を実行するヘッド制御部とを備えたドライブ装置であって、
前記巻き付け機構は、前記再生処理の実行時において前記各種類の磁気テープに対してそれぞれ同じ巻き付け長で前記回転ドラムに巻き付け、
前記ヘッド制御部は、前記記録面に記録されている前記信号の再生を前記各環状領域のうちの１つに配設されている前記再生ヘッドに行わせる第１再生処理と、前記記録面を前記磁気テープの幅方向で複数に区画して当該磁気テープの長さ方向に沿って帯状となる各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行するドライブ装置。
【請求項９】
請求項５または６記載のヘッド装置と、前記磁気テープを当該ヘッド装置の前記回転ドラムに巻き付ける巻き付け機構と、テープ幅が互いに異なる複数種類の前記磁気テープに対する前記信号の記録を前記ヘッド装置に行わせる記録処理および当該各磁気テープに記録されている当該信号の再生を当該ヘッド装置に行わせる再生処理を実行するヘッド制御部とを備えたドライブ装置であって、
前記巻き付け機構は、前記記録処理実行時および前記再生処理の実行時において前記各種類の磁気テープに対してそれぞれ同じ巻き付け長で前記回転ドラムに巻き付け、
前記ヘッド制御部は、前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行すると共に、前記記録面に記録されている前記信号の再生を前記各環状領域のうちの１つに配設されている前記再生ヘッドに行わせる第１再生処理と、前記各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行するドライブ装置。
【請求項１０】
回転ドラムの外周部を当該回転ドラムの厚み方向で複数に区画して当該回転ドラムの周方向に沿って環状となる各環状領域に記録ヘッドがＮ個（Ｎは１以上の自然数）ずつ配設されると共に当該各環状領域に再生ヘッドがＮ個ずつ配設されているヘッド装置における当該回転ドラムに磁気テープを巻き付けて、テープ幅が互いに異なる複数種類の前記磁気テープの記録面に対する信号の記録を行う記録処理および当該記録面に記録されている当該信号の再生を行う再生処理をヘリカルスキャン方式で行う記録再生方法であって、
前記記録処理の実行時および前記再生処理の実行時において前記各種類の磁気テープに対してそれぞれ同じ巻き付け長で前記回転ドラムに巻き付け、
前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行すると共に、
前記記録面に記録されている前記信号の再生を前記各環状領域のうちの１つに配設されている前記再生ヘッドに行わせる第１再生処理と、前記各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行する記録再生方法。
【発明の詳細な説明】
【技術分野】
【０００１】
本発明は、信号の記録や再生をヘリカルスキャン方式で行うヘッド装置、そのヘッド装置を備えたドライブ装置、および信号の記録や再生をヘリカルスキャン方式で行う記録再生方法に関するものである。
【背景技術】
【０００２】
この種のドライブ装置として、特開２００５−１５８１５６号公報に開示された磁気記録再生装置が知られている。この磁気記録再生装置は、複数の磁気ヘッドが配設された回転ドラムを有する回転ドラム装置、および４本のガイドローラを有するテープローディング機構などを備えて、幅広磁気テープおよび幅狭磁気テープ（以下、幅広磁気テープと幅狭磁気テープとを区別しないときには、単に「磁気テープ」ともいう）の双方に対して磁気記録再生処理を実行可能に構成されている。この磁気記録再生装置では、幅広磁気テープが収納されたテープカートリッジがセットされたときに、幅広磁気テープ用の２本のガイドローラが、テープカートリッジから幅広磁気テープを引き出して回転ドラムに巻き付ける（添接させる）。次いで、モータが回転ドラムを回転させることにより、回転ドラムに配設されている磁気ヘッドによって幅広磁気テープに対する磁気記録再生処理が実行される。一方、幅狭磁気テープが収納されたテープカートリッジが磁気記録再生装置にセットされたときには、幅狭磁気テープ用の２本のガイドローラが、テープカートリッジから幅狭磁気テープを引き出して回転ドラムに巻き付ける。次いで、モータが回転ドラムを回転させることにより、回転ドラムに配設されている磁気ヘッドによって幅狭磁気テープに対する磁気記録再生処理が実行される。
【特許文献１】特開２００５−１５８１５６号公報（第６−８頁、第１−２図）
【発明の開示】
【発明が解決しようとする課題】
【０００３】
ところが、上記の磁気記録再生装置には、以下の問題点がある。すなわち、上記の磁気記録再生装置を含むこの種のドライブ装置では、磁気テープの引き出しおよび回転ドラムに対する磁気テープの巻き付けに用いるガイドローラを磁気テープのテープ幅に応じて切り替える必要がある。一方、この種のドライブ装置では、図２４，２５に示すように、回転ドラム２５２が磁気テープ１０３の移動方向（長さ方向）に対して傾斜した状態で回転しつつ、回転ドラム２５２に配設されている磁気ヘッドが磁気テープ１０３に信号を記録する。このため、磁気テープ１０３には、回転ドラム２５２の回転に伴って移動する磁気ヘッドの軌跡（両図に示す傾斜した帯状部分）に沿って信号が記録される（以下、回転ドラムが１回転する間に１つの磁気ヘッドによって信号が記録された部分（上記した帯状部分）を「トラックＴ」ともいう）。
【０００４】
ここで、図２４，２５に示すように、幅広磁気テープにおけるトラック長（図２５に示す磁気テープ１０３ｂにおけるトラックＴの長さ）は、幅狭磁気テープにおけるトラック長（図２４に示す磁気テープ１０３ａにおけるトラックＴの長さ）よりも、テープ幅が広い分だけ長くなる。この場合、回転ドラムの回転数（回転速度）はテープ幅に拘わらず一定である。このため、幅広磁気テープ（図２５に示す磁気テープ１０３ｂ）に対する信号の記録を行う際には、トラック長が長い分だけ、回転ドラム２５２に巻き付ける巻き付け長を、幅狭磁気テープ（図２４に示す磁気テープ１０３ａ）に対する信号の記録の際の巻き付け長（一例として、回転ドラム２５２の外周面に沿った長さの１／４程度の長さ）よりも長く（一例として、回転ドラム２５２の外周面に沿った長さの１／２程度の長さに）する必要がある。つまり、図２６に示すように、磁気テープ１０３ａ，１０３ｂのテープ幅に応じてガイドローラ２２１を切り替えるだけではなく、実際には、回転ドラムに対する磁気テープ１０３ａ，１０３ｂの巻き付け長を変更するためにガイドローラ２２１の移動方向や移動距離も切り替える必要がある。したがって、上記の磁気記録再生装置を含むこの種のドライブ装置では、巻付機構（テープローディング機構）の構造が極めて複雑となっており、この点の改善が望まれている。また、回転ドラム２５２に対する磁気テープ１０３の接触長を長くしたときには、回転ドラム２５２と磁気テープ１０３との間の摩擦抵抗が大きくなる。このため、この種のドライブ装置には、この摩擦抵抗によって回転ドラム２５２の回転方向（磁気テープ１０３の移動方向に対して斜め上向きまたは斜め下向き）に磁気テープが移動させられて磁気テープ１０３が位置ずれし、信号の記録や再生が不正確となるおそれがあるという問題点も存在する。
【０００５】
本発明は、かかる問題点に鑑みてなされたものであり、磁気テープを回転ドラムに巻き付けるための巻付機構の構造の簡略化が可能で、しかもテープ幅が互いに異なる複数種類の磁気テープを用いての信号の記録や再生を正確に行い得るヘッド装置、ドライブ装置および記録再生方法を提供することを主目的とする。
【課題を解決するための手段】
【０００６】
上記目的を達成すべく本発明に係るヘッド装置は、回転ドラムと、当該回転ドラムの外周部に配設された記録ヘッドとを備えて、磁気テープの記録面に対する信号の記録をヘリカルスキャン方式で行うヘッド装置であって、前記回転ドラムには、前記外周部を当該回転ドラムの厚み方向で複数に区画して当該回転ドラムの周方向に沿って環状となる各環状領域に前記記録ヘッドがＮ個（Ｎは１以上の自然数）ずつ配設されている。
【０００７】
この場合、前記回転ドラムの前記各環状領域に前記記録ヘッドを複数ずつ配設し、当該各記録ヘッドを前記各環状領域において前記回転ドラムの回転中心軸を中心とする同一円周に沿って等間隔に配列する構成を採用することができる。
【０００８】
また、本発明に係るヘッド装置は、回転ドラムと、当該回転ドラムの外周部に配設された再生ヘッドとを備えて、磁気テープの記録面に記録されている信号の再生をヘリカルスキャン方式で行うヘッド装置であって、前記回転ドラムには、前記外周部を当該回転ドラムの厚み方向で複数に区画して当該回転ドラムの周方向に沿って環状となる各環状領域に前記再生ヘッドがＮ個（Ｎは１以上の自然数）ずつ配設されている。
【０００９】
この場合、前記回転ドラムの前記各環状領域に前記再生ヘッドを複数ずつ配設し、当該各再生ヘッドを前記各環状領域において前記回転ドラムの回転中心軸を中心とする同一円周に沿って等間隔に配列する構成を採用することができる。
【００１０】
また、本発明に係るヘッド装置は、回転ドラムと、当該回転ドラムの外周部に配設された記録ヘッドおよび再生ヘッドとを備えて、磁気テープの記録面に対する信号の記録および当該記録面に記録されている当該信号の再生をヘリカルスキャン方式で行うヘッド装置であって、前記回転ドラムには、前記外周部を当該回転ドラムの厚み方向で複数に区画して当該回転ドラムの周方向に沿って環状となる各環状領域に前記記録ヘッドがＮ個（Ｎは１以上の自然数）ずつ配設されると共に、前記各環状領域に前記再生ヘッドがＮ個ずつ配設されている。
【００１１】
この場合、前記回転ドラムの前記各環状領域に前記記録ヘッドおよび前記再生ヘッドをそれぞれ複数ずつ配設し、当該各記録ヘッドおよび当該各再生ヘッドを前記各環状領域において前記回転ドラムの回転中心軸を中心とする同一円周に沿って等間隔に配列する構成を採用することができる。
【００１２】
また、本発明に係るドライブ装置は、請求項１または２記載のヘッド装置と、前記磁気テープを当該ヘッド装置の回転ドラムに巻き付ける巻き付け機構と、テープ幅が互いに異なる複数種類の前記磁気テープに対する前記信号の記録を前記ヘッド装置に行わせる記録処理を実行するヘッド制御部とを備えたドライブ装置であって、前記巻き付け機構は、前記記録処理の実行時において前記各種類の磁気テープに対してそれぞれ同じ巻き付け長で前記回転ドラムに巻き付け、前記ヘッド制御部は、前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行する。
【００１３】
また、本発明に係るドライブ装置は、請求項３または４記載のヘッド装置と、前記磁気テープを当該ヘッド装置の回転ドラムに巻き付ける巻き付け機構と、テープ幅が互いに異なる複数種類の前記磁気テープに記録されている前記信号の再生を前記ヘッド装置に行わせる再生処理を実行するヘッド制御部とを備えたドライブ装置であって、前記巻き付け機構は、前記再生処理の実行時において前記各種類の磁気テープに対してそれぞれ同じ巻き付け長で前記回転ドラムに巻き付け、前記ヘッド制御部は、前記記録面に記録されている前記信号の再生を前記各環状領域のうちの１つに配設されている前記再生ヘッドに行わせる第１再生処理と、前記記録面を前記磁気テープの幅方向で複数に区画して当該磁気テープの長さ方向に沿って帯状となる各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行する。
【００１４】
また、本発明に係るドライブ装置は、請求項５または６記載のヘッド装置と、前記磁気テープを当該ヘッド装置の前記回転ドラムに巻き付ける巻き付け機構と、テープ幅が互いに異なる複数種類の前記磁気テープに対する前記信号の記録を前記ヘッド装置に行わせる記録処理および当該各磁気テープに記録されている当該信号の再生を当該ヘッド装置に行わせる再生処理を実行するヘッド制御部とを備えたドライブ装置であって、前記巻き付け機構は、前記記録処理実行時および前記再生処理の実行時において前記各種類の磁気テープに対してそれぞれ同じ巻き付け長で前記回転ドラムに巻き付け、前記ヘッド制御部は、前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行すると共に、前記記録面に記録されている前記信号の再生を前記各環状領域のうちの１つに配設されている前記再生ヘッドに行わせる第１再生処理と、前記各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行する。
【００１５】
また、本発明に係る記録再生方法は、回転ドラムの外周部を当該回転ドラムの厚み方向で複数に区画して当該回転ドラムの周方向に沿って環状となる各環状領域に記録ヘッドがＮ個（Ｎは１以上の自然数）ずつ配設されると共に当該各環状領域に再生ヘッドがＮ個ずつ配設されているヘッド装置における当該回転ドラムに磁気テープを巻き付けて、テープ幅が互いに異なる複数種類の前記磁気テープの記録面に対する信号の記録を行う記録処理および当該記録面に記録されている当該信号の再生を行う再生処理をヘリカルスキャン方式で行う記録再生方法であって、前記記録処理の実行時および前記再生処理の実行時において前記各種類の磁気テープに対してそれぞれ同じ巻き付け長で前記回転ドラムに巻き付け、前記記録面に対する前記信号の記録を前記各環状領域のうちの１つに配設されている前記記録ヘッドに行わせる第１記録処理と、前記記録面を前記磁気テープの幅方向で複数に区画して当該磁気テープの長さ方向に沿って帯状となる各帯状領域に対する前記信号の記録を互いに異なる当該各帯状領域にそれぞれ対応付けられた前記各環状領域に配設されている前記記録ヘッドにそれぞれ行わせる第２記録処理とを前記記録処理として当該磁気テープの種類に応じて切り替えて実行すると共に、前記記録面に記録されている前記信号の再生を前記各環状領域のうちの１つに配設されている前記再生ヘッドに行わせる第１再生処理と、前記各帯状領域にそれぞれ記録されている前記信号の再生を互いに異なる当該各帯状領域にそれぞれ対応付けられた前記各環状領域に配設されている前記再生ヘッドにそれぞれ行わせる第２再生処理とを前記再生処理として当該磁気テープの種類に応じて切り替えて実行する。
【発明の効果】
【００１６】
本発明に係るヘッド装置およびドライブ装置によれば、回転ドラムの外周部を回転ドラムの厚み方向で複数に区画して回転ドラムの周方向に沿って環状となる各環状領域に記録ヘッドをＮ個ずつ配設したことにより、例えば、テープ幅が狭い磁気テープに対しては各環状領域のうちの１つに配設されている記録ヘッドを用いて、テープ幅が広い磁気テープに対してはすべての記録ヘッドを用いることで、回転ドラムに対する磁気テープの巻き付け長を変更することなくテープ幅が互いに異なる複数種類の磁気テープを用いての信号の記録を行うことができる。したがって、このヘッド装置およびドライブ装置によれば、テープ幅に応じて異なるガイドローラが用いられ、しかもテープ幅に応じて回転ドラムに対する磁気テープの巻き付け長を異ならせる従来のドライブ装置と比較して、巻付機構の構造を十分に簡略化することができる。また、このヘッド装置およびドライブ装置によれば、テープ幅が広い磁気テープを用いる際の巻き付け長を、テープ幅が狭い磁気テープを用いる際の巻き付け長と同じ短い巻き付け長にすることができるため、テープ幅が広いほど巻き付け長を長くする必要がある従来のドライブ装置と比較して、回転ドラムとの間の摩擦抵抗に起因する磁気テープの位置ずれを十分に低く抑えることができる。したがって、このヘッド装置およびドライブ装置によれば、信号の記録を十分正確に行うことができる。
【００１７】
また、本発明に係るヘッド装置およびドライブ装置によれば、各環状領域において回転ドラムの回転中心軸を中心とする同一円周に沿って複数の記録ヘッドを等間隔に配列したことにより、磁気テープの移動速度および回転ドラムの回転速度を調整することで、トラックを等間隔にしかも密接させた状態で信号を記録することができる結果、記録密度を十分に高めることができる。
【００１８】
また、本発明に係るヘッド装置およびドライブ装置によれば、各環状領域に再生ヘッドをＮ個ずつ配設したことにより、例えば、テープ幅が狭い磁気テープに対しては各環状領域のうちの１つに配設されている再生ヘッドを用いて、テープ幅が広い磁気テープに対してはすべての再生ヘッドを用いることで、回転ドラムに対する磁気テープの巻き付け長を変更することなくテープ幅が互いに異なる複数種類の磁気テープを用いての信号の再生を行うことができる。したがって、このヘッド装置およびドライブ装置によれば、従来のドライブ装置と比較して、巻付機構の構造を十分に簡略化することができる。また、このヘッド装置およびドライブ装置によれば、テープ幅が広い磁気テープを用いる際の巻き付け長を、テープ幅が狭い磁気テープを用いる際の巻き付け長と同じ短い巻き付け長にすることができるため、従来のドライブ装置と比較して、回転ドラムとの間の摩擦抵抗に起因する磁気テープの位置ずれを十分に低く抑えることができる。したがって、このヘッド装置およびドライブ装置によれば、信号の再生を十分正確に行うことができる。
【００１９】
また、本発明に係るヘッド装置およびドライブ装置によれば、各環状領域において回転ドラムの回転中心軸を中心とする同一円周に沿って複数の再生ヘッドを等間隔に配列したことにより、磁気テープの移動速度および回転ドラムの回転速度を調整することで、トラックを等間隔にしかも密接させた状態で記録された信号を確実に再生することができる。
【００２０】
また、本発明に係るヘッド装置、ドライブ装置および記録再生方法によれば、各環状領域に記録ヘッドをＮ個ずつ配設すると共に各環状領域に再生ヘッドをＮ個ずつ配設したヘッド装置を用いて信号の記録および再生を行うことにより、例えば、テープ幅が狭い磁気テープに対しては各環状領域のうちの１つに配設されている記録ヘッドおよび再生ヘッドを用いて、テープ幅が広い磁気テープに対してはすべての記録ヘッドおよび再生ヘッドを用いることで、回転ドラムに対する磁気テープの巻き付け長を変更することなくテープ幅が互いに異なる複数種類の磁気テープを用いての信号の記録や再生を行うことができる。したがって、このヘッド装置およびドライブ装置によれば、従来のドライブ装置と比較して、巻付機構の構造を十分に簡略化することができる。また、このヘッド装置およびドライブ装置によれば、テープ幅が広い磁気テープを用いる際の巻き付け長を、テープ幅が狭い磁気テープを用いる際の巻き付け長と同じ短い巻き付け長にすることができるため、従来のドライブ装置と比較して、回転ドラムとの間の摩擦抵抗に起因する磁気テープの位置ずれを十分に低く抑えることができる。したがって、このヘッド装置、ドライブ装置および記録再生方法によれば、信号の記録や再生を十分正確に行うことができる。
【００２１】
また、本発明に係るヘッド装置およびドライブ装置によれば、各環状領域において回転ドラムの回転中心軸を中心とする同一円周に沿って複数の記録ヘッドおよび再生ヘッドを等間隔に配列したことにより、磁気テープの移動速度および回転ドラムの回転速度を調整することで、トラックを等間隔にしかも密接させて記録密度を十分に高めた状態で信号を記録することができると共に、その状態で記録した信号を確実に再生することができる。
【発明を実施するための最良の形態】
【００２２】
以下、本発明に係るヘッド装置、ドライブ装置および記録再生方法の最良の形態について、添付図面を参照して説明する。
【００２３】
最初に、図１に示すドライブ装置１の構成について説明する。ドライブ装置１は、本発明に係るドライブ装置の一例であって、本発明に係る記録再生方法に従って情報媒体１００ａ，１００ｂ（図２〜図４参照：以下、区別しないときには「情報媒体１００」ともいう）の磁気テープ１０３に対する信号（以下、「信号Ｓｒ」ともいう）の記録および磁気テープ１０３に記録されている信号Ｓｒの再生を実行可能に構成されている。
【００２４】
ここで、情報媒体１００は、例えば、データをバックアップするためのストレージデバイスとして用いられる情報媒体であって、図２〜図４に示すように、ケース１０１と、ケース１０１内に収容された一対のテープリール１０２，１０２と、テープリール１０２に巻回された磁気テープ１０３とを備えて構成されている。この場合、情報媒体１００ａは、一例として、テープ幅が３．８１ｍｍの磁気テープ１０３（以下、この磁気テープ１０３を「磁気テープ１０３ａ」ともいう）を備え、情報媒体１００ｂは、一例として、テープ幅が８ｍｍの磁気テープ１０３（以下、この磁気テープ１０３を「磁気テープ１０３ｂ」ともいう）を備えている。
【００２５】
一方、ドライブ装置１は、図１に示すように、装填機構２、巻付機構３、第１モータ４ａ、第２モータ４ｂ、第３モータ４ｃ、第４モータ４ｄ（以下、各モータ４ａ，４ｂ，４ｃ，４ｄを区別しないときには「モータ４」ともいう）、ヘッド装置５、ヘッド制御部６、操作部７、センサ８および主制御部９を備えて構成されている。
【００２６】
装填機構２は、主制御部９の制御に従い、第１モータ４ａおよび第２モータ４ｂの回転軸（図示せず）がテープリール１０２の中心孔に挿通されるように情報媒体１００を装填（ローディング）する。巻付機構３は、図５，６に示すように、複数のガイドローラ２１と、ガイドローラ２１を移動させる移動機構（図示せず）とを備えて構成されて、主制御部９の制御に従い、情報媒体１００から磁気テープ１０３を引き出すと共に、ヘッド装置５（後述する回転ドラム５２）に磁気テープ１０３を巻き付ける。この場合、巻付機構３は、磁気テープ１０３の種類（磁気テープ１０３のテープ幅）に拘わらず、各磁気テープ１０３ａ，１０３ｂに対してそれぞれ同じガイドローラ２１を用いて巻き付けを行う。また、巻付機構３は、磁気テープ１０３の種類に拘わらず、各磁気テープ１０３ａ，１０３ｂに対してそれぞれ同じ巻き付け長（一例として、回転ドラム５２の外周面に沿った長さの１／４程度の長さ）で回転ドラム５２に巻き付けるようにガイドローラ２１を移動させる。このため、このドライブ装置１では、磁気テープ１０３の種類（テープ幅）に応じて異なるガイドローラ２２１が用いられ、しかも磁気テープ１０３の種類に応じて回転ドラム２５２に対する磁気テープ１０３の巻き付け長を異ならせる従来のドライブ装置と比較して、巻付機構３の構造が十分に簡略化されている。
【００２７】
第１モータ４ａは、回転軸が挿通された情報媒体１００のテープリール１０２を回転させることによって磁気テープ１０３を送り出す。第２モータ４ｂは、回転軸を回転させることによって磁気テープ１０３を巻き取る。第３モータ４ｃは、キャプスタン２２（図５，６参照）を所定の回転速度で回転させることにより、キャプスタン２２とピンチローラ２３（両図参照）との間に挟み込まれた磁気テープ１０３を所定の速度で移動させる。第４モータ４ｄは、ヘッド装置５の回転ドラム５２を回転させる。
【００２８】
ヘッド装置５は、本発明に係るヘッド装置の一例であって、図５，６に示すように、固定ドラム５１、回転ドラム５２、４つの記録ヘッド５３ａ〜５３ｄ（以下、区別しないときには「記録ヘッド５３」ともいう）、および４つの再生ヘッド５４ａ〜５４ｄ（以下、区別しないときには「再生ヘッド５４」ともいう）を備えて、磁気テープ１０３に対する信号Ｓｒの記録および磁気テープ１０３に記録されている信号Ｓｒの再生をヘリカルスキャン方式で行う。固定ドラム５１は、円筒状に形成されて、ドライブ装置１のベース部（図示せず）に固定されている。
【００２９】
回転ドラム５２は、図５，６に示すように、円筒状に形成されると共に、磁気テープ１０３の移動方向（長さ方向）に対して傾斜するようにして固定ドラム５１に回転可能に取り付けられている。記録ヘッド５３ａ〜５３ｄは、図７に示すように、回転ドラム５２の外周部に配設されて、ヘッド制御部６から出力される信号Ｓｒを磁気テープ１０３の記録面１０４（図５，６参照）に記録する。この場合、図７に示すように、４つの記録ヘッド５３のうちの２個（例えば、記録ヘッド５３ａ，５３ｃ）は、回転ドラム５２の外周部を回転ドラム５２の厚み方向で２つ（本発明における複数の一例）に区画して回転ドラム５２の周方向に沿って環状となる第１環状領域６１ａおよび第２環状領域６１ｂ（以下、区別しないときには「環状領域６１」ともいう）の一方（この例では、第１環状領域６１ａ）に配設されている。また、４つの記録ヘッド５３のうちの他の２個（例えば、記録ヘッド５３ｂ，５３ｄ）は、両環状領域６１の他方（この例では、第２環状領域６１ｂ）に配設されている。つまり、回転ドラム５２には、各環状領域６１に記録ヘッド５３が２個（本発明におけるＮ個の一例）ずつ配設されている。また、各記録ヘッド５３は、各環状領域６１において、回転ドラム５２の回転中心軸Ａを中心とする同一円周（同図に一点鎖線で示す円周Ｃ１，Ｃ２）に沿って等間隔に、つまり回転中心軸Ａを挟んで互いに対向する位置に配列されている。
【００３０】
再生ヘッド５４ａ〜５４ｄは、図７に示すように、回転ドラム５２の外周部に配設されて、磁気テープ１０３の記録面１０４に記録されている信号Ｓｒを再生してヘッド制御部６に出力する。この場合、４つの再生ヘッド５４のうちの２個（例えば、再生ヘッド５４ａ，５４ｃ）は、両環状領域６１の一方（この例では、第１環状領域６１ａ）に配設されている。また、４つの再生ヘッド５４のうちの他の２個（例えば、再生ヘッド５４ｂ，５４ｄ）は、両環状領域６１の他方（この例では、第２環状領域６１ｂ）に配設されている。つまり、回転ドラム５２には、各環状領域６１に再生ヘッド５４が２個（本発明におけるＮ個の一例）ずつ配設されている。また、各再生ヘッド５４は、各環状領域６１において、回転ドラム５２の回転中心軸Ａを中心とする同一円周（同図に一点鎖線で示す円周Ｃ１，Ｃ２）に沿って等間隔に、つまり回転中心軸Ａを挟んで互いに対向する位置に配列されている。
【００３１】
この場合、このヘッド装置５では、図７に示すように、各記録ヘッド５３および各再生ヘッド５４が、各環状領域６１において、上記した同一円周Ｃ１，Ｃ２に沿って等間隔に配列されている。つまり、このヘッド装置５では、互いに対向する記録ヘッド５３ａ，５３ｃ同士を結ぶ仮想直線Ｌ１と互いに対向する再生ヘッド５４ａ，５４ｃ同士を結ぶ仮想直線Ｌ２とが直交すると共に、互いに対向する記録ヘッド５３ｂ，５３ｄ同士を結ぶ仮想直線Ｌ３と互いに対向する再生ヘッド５４ｂ，５４ｄ同士を結ぶ仮想直線Ｌ４とが直交し、かつ固定ドラム５１を上方（同図における上側）から見たときに、仮想直線Ｌ１と仮想直線Ｌ３とが重なり合うと共に、仮想直線Ｌ２と仮想直線Ｌ４とが重なり合うように各記録ヘッド５３および再生ヘッド５４が配列されている。
【００３２】
ヘッド制御部６は、主制御部９の制御に従い、ヘッド装置５の記録ヘッド５３および再生ヘッド５４を制御する。具体的には、ヘッド制御部６は、外部装置から入力した信号Ｓｒを記録ヘッド５３に出力すると共に、後述する第１記録処理および第２記録処理を実行することによって磁気テープ１０３に対する信号Ｓｒの記録を記録ヘッド５３に行わせる。また、ヘッド制御部６は、後述する第１再生処理および第２再生処理を実行することにより、磁気テープ１０３に記録されている信号の再生を再生ヘッド５４に行わせる。操作部７は、各種のスイッチを備えて構成され、これらのスイッチの操作に応じて操作信号Ｓｏを出力する。センサ８は、情報媒体１００がドライブ装置１の挿入口に挿入されたときに検出信号Ｓｄを出力する。また、センサ８は、装填（ローディング）された情報媒体１００が情報媒体１００ａおよび情報媒体１００ｂのいずれであるか（つまり情報媒体１００の種類）を特定可能な特定信号Ｓｉを出力する。主制御部９は、操作部７から出力される操作信号Ｓｏ、およびセンサ８から出力される検出信号Ｓｄや特定信号Ｓｉに従ってドライブ装置１を構成する各構成要素を制御する。
【００３３】
次に、ドライブ装置１および情報媒体１００を用いた信号Ｓｒの記録再生方法について、図面を参照して説明する。
【００３４】
例えば、テープ幅が３．８１ｍｍの磁気テープ１０３ａを備えた情報媒体１００ａを用いて信号Ｓｒの記録を行うときには、情報媒体１００ａをドライブ装置１の挿入口から装置内部に向けて挿入する。この際に、センサ８が、情報媒体１００ａの挿入を検出して検出信号Ｓｄを出力する。これに応じて、主制御部９が、装填機構２を制御して、情報媒体１００の装填（ローディング）を実行させる。この場合、装填機構２は、情報媒体１００ａを内部に引き込んだ後に、第１モータ４ａおよび第２モータ４ｂの回転軸がテープリール１０２の中心孔に挿通されるように情報媒体１００ａを移動させる。次いで、操作部７の記録開始スイッチを操作する。続いて、主制御部９は、操作部７から出力された操作信号Ｓｏに従い、巻付機構３を制御して磁気テープ１０３ａの巻き付けを実行させる。この際に、巻付機構３は、各ガイドローラ２１を移動させて、情報媒体１００ａから磁気テープ１０３ａを引き出すと共に、図５，６に示すように、ヘッド装置５の回転ドラム５２に磁気テープ１０３ａを巻き付ける。この場合、巻付機構３は、磁気テープ１０３ａの巻き付け長（回転ドラム５２の外周面に接触させる磁気テープ１０３ａの長さ）が回転ドラム５２の外周面に沿った１周分の長さの１／４程度となるようにガイドローラ２１を移動させる。ここで、このドライブ装置１では、上記したように、従来のドライブ装置と比較して、巻付機構３の構造が十分に簡略化される。このため、巻き付けの際に磁気テープ１０３ａが絡み合ったりするトラブルや巻付機構３自体の故障の発生が十分に低く抑えられている。
【００３５】
次いで、主制御部９は、第３モータ４ｃを制御して所定の速度で磁気テープ１０３ａを移動させると共に、第１モータ４ａおよび第２モータ４ｂを制御して磁気テープ１０３ａの送り出しおよび巻き取りを行わせる。また、主制御部９は、第４モータ４ｄを制御してヘッド装置５の回転ドラム５２を回転させる。続いて、主制御部９は、センサ８から出力された特定信号Ｓｉに基づいて、装填された情報媒体１００が情報媒体１００ａである旨を判別し、ヘッド制御部６に対して第１記録処理を実行させる。この第１記録処理では、ヘッド制御部６は、回転ドラム５２における両環状領域６１のうちの１つ（例えば第１環状領域６１ａ）に配設されている記録ヘッド５３ａ，５３ｃに対して信号Ｓｒを出力すると共に、磁気テープ１０３ａの記録面１０４に対する信号Ｓｒの記録を記録ヘッド５３ａ，５３ｃに行わせる。この場合、記録ヘッド５３ａ，５３ｃは、図８，９に示すように、回転ドラム５２の回転に伴って移動しつつ信号Ｓｒを記録面１０４に記録する。なお、両図および後述する図１３，１４では、発明の理解を容易とするため、回転ドラム５２や磁気テープ１０３の動き、および信号Ｓｒが記録される様子を正面図および平面図で示している。また、これらの各図では、再生ヘッド５４ａ〜５４ｄの図示を省略している。また、図８〜図２３では、各図における紙面奥側に位置する記録面１０４側の様子を磁気テープ１０３を透かして見た状態で示している。
【００３６】
具体的には、例えば図８に示すように、回転ドラム５２が１／４回転（９０゜回転）する間に、記録ヘッド５３ａがその回転に伴って同図における左下側から右上側に移動し、記録ヘッド５３ａの軌跡に沿って信号Ｓｒが１トラックＴ分だけ記録面１０４に記録される。この場合、記録ヘッド５３ｂは、磁気テープ１０３ａの上方を通過する。次いで、回転ドラム５２がさらに１／４回転する間は、各記録ヘッド５３が記録面１０４に接触しないため、記録面１０４に信号Ｓｒが記録されない状態に維持される。続いて、図９に示すように、回転ドラム５２がさらに１／４回転する間に、記録ヘッド５３ｃがその回転に伴って左下側から右上側に移動し、記録ヘッド５３ｃの軌跡に沿って信号Ｓｒがさらに１トラックＴ分だけ記録面１０４に記録される。この場合、記録ヘッド５３ｄは、磁気テープ１０３ａの上方を通過する。
【００３７】
次いで、回転ドラム５２がさらに１／４回転する間は、各記録ヘッド５３が記録面１０４に接触しないため、記録面１０４に信号Ｓｒが記録されない状態に維持される。これにより、回転ドラム５２が１回転する間に磁気テープ１０３ａの記録面１０４に２トラックＴ分の信号Ｓｒが記録される。以後、上記の動作が繰り返されることにより、図１０に示すように、記録ヘッド５３ａ，５３ｃによって磁気テープ１０３ａの記録面１０４に多数のトラックＴが並んだ状態で信号Ｓｒが記録される。つまり、この第１記録処理では、磁気テープ１０３ａの記録面１０４に対する信号Ｓｒの記録が１つの環状領域６１（この場合、第１環状領域６１ａ）に配設されている２つの記録ヘッド５３ａ，５３ｃのみによって行われる。
【００３８】
一方、信号Ｓｒの記録を終了するときには、操作部７の停止スイッチを操作する。続いて、主制御部９が、操作信号Ｓｏに従い、ヘッド制御部６に対して第１記録再生処理を終了させると共に、モータ４ａ〜４ｄを停止させる。また、主制御部９は、巻付機構３に対して磁気テープ１０３ａの巻き付けを解除させた後に、装填機構２に対して情報媒体１００ａを挿入口側に移動させる。
【００３９】
次に、情報媒体１００ａの磁気テープ１０３ａに記録されている信号Ｓｒの再生を行うときには、情報媒体１００ａをドライブ装置１の挿入口から装置内部に向けて挿入する。この際に、主制御部９は、センサ８から出力された検出信号Ｓｄに応じて、装填機構２に対して情報媒体１００ａを装填させる。次いで、操作部７の再生開始スイッチを操作する。続いて、主制御部９は、操作信号Ｓｏに従い、巻付機構３および各モータ４に対して上記した制御と同様の制御を行うことにより、磁気テープ１０３ａの巻き付けを実行させると共に、磁気テープ１０３ａの移動、送り出しおよび巻き取りを行わせる。
【００４０】
次いで、主制御部９は、センサ８から出力された特定信号Ｓｉに基づいて装填された情報媒体１００が情報媒体１００ａである旨を判別し、ヘッド制御部６に対して第１再生処理を実行させる。この第１再生処理では、ヘッド制御部６は、回転ドラム５２における両環状領域６１のうちの１つ（例えば第１環状領域６１ａ）に配設されている再生ヘッド５４ａ，５４ｃに対して、磁気テープ１０３ａの記録面１０４に記録されている信号Ｓｒの再生を行わせる。この場合、再生ヘッド５４ａ，５４ｃは、図１１，１２に示すように、回転ドラム５２の回転に伴って移動しつつ信号Ｓｒを再生する。なお、両図および後述する図１６，１７では、発明の理解を容易とするため、回転ドラム５２や磁気テープ１０３の動き、および信号Ｓｒが再生される様子を正面図および平面図で示している。また、これらの各図では、記録ヘッド５３ａ〜５３ｄの図示を省略している。
【００４１】
具体的には、例えば図１１に示すように、回転ドラム５２が１／４回転（９０゜回転）する間に、再生ヘッド５４ａがその回転に伴ってトラックＴに沿って同図における左下側から右上側に移動し、１トラックＴ分の信号Ｓｒが再生ヘッド５４ａによって再生される。なお、同図および図１２，１６，１７では、再生されたトラックＴを黒い帯状に図示する。この場合、再生ヘッド５４ｂは、磁気テープ１０３ａの上方を通過する。次いで、回転ドラム５２がさらに１／４回転する間は、各再生ヘッド５４が記録面１０４に接触しないため、信号Ｓｒが再生されない状態に維持される。続いて、図１２に示すように、回転ドラム５２がさらに１／４回転する間に、再生ヘッド５４ｃがその回転に伴ってトラックＴに沿って移動し、さらに１トラックＴ分の信号Ｓｒが再生ヘッド５４ｃによって再生される。この場合、再生ヘッド５４ｄは、磁気テープ１０３ａの上方を通過する。
【００４２】
次いで、回転ドラム５２がさらに１／４回転する間は、各再生ヘッド５４が記録面１０４に接触しないため、信号Ｓｒが再生されない状態に維持される。これにより、回転ドラム５２が１回転する間に記録面１０４に記録されている２トラックＴ分の信号Ｓｒが再生される。以後、上記の動作が繰り返されることにより、再生ヘッド５４ａ，５４ｃによって記録面１０４に記録されている多数のトラックＴ分の信号Ｓｒが再生される。つまり、この第１再生処理では、磁気テープ１０３ａの記録面１０４に記録されている信号Ｓｒの再生が１つの環状領域６１（この場合、第１環状領域６１ａ）に配設されている２つの再生ヘッド５４ａ，５４ｃのみによって行われる。
【００４３】
次に、テープ幅が８ｍｍの磁気テープ１０３ｂを備えた情報媒体１００ｂを用いて信号Ｓｒの記録を行うときには、情報媒体１００ｂをドライブ装置１の挿入口から装置内部に向けて挿入する。この際に、主制御部９は、センサ８から出力された検出信号Ｓｄに応じて、装填機構２に対して情報媒体１００ｂを装填させる。次いで、操作部７の記録開始スイッチを操作する。続いて、主制御部９は、操作信号Ｓｏに従って巻付機構３に対して上記した制御と同様の制御を行うことにより、磁気テープ１０３ｂの巻き付けを実行させる。この場合、巻付機構３は、上記した磁気テープ１０３ａを巻き付ける際の巻き付け長と同じ巻き付け長（回転ドラム５２の外周面に沿った長さの１／４程度の長さ）で磁気テープ１０３ｂを回転ドラム５２に巻き付ける。また、主制御部９は、各モータ４を制御することにより、磁気テープ１０３ｂの移動、送り出しおよび巻き取りを行わせる。
【００４４】
次いで、主制御部９は、センサ８から出力された特定信号Ｓｉに基づいて装填された情報媒体１００が情報媒体１００ｂである旨を判別し、ヘッド制御部６に対して第２記録処理を実行させる。この第２記録処理では、ヘッド制御部６は、各記録ヘッド５３ａ〜５３ｄに対して信号Ｓｒを出力すると共に、磁気テープ１０３ｂの記録面１０４に対する信号Ｓｒの記録を各記録ヘッド５３ａ〜５３ｄに行わせる。この場合、ヘッド制御部６は、記録面１０４を磁気テープ１０３ｂの幅方向で２つ（本発明における複数の一例）に区画して磁気テープ１０３ｂの長さ方向に沿って帯状となる第１帯状領域１０５ａおよび第２帯状領域１０５ｂ（図１３参照：以下、区別しないときには「帯状領域１０５」ともいう）のうちの第１帯状領域１０５ａに対する信号Ｓｒの記録を、第１環状領域６１ａに配設されている記録ヘッド５３ａ，５３ｃに行わせる。また、ヘッド制御部６は、第２帯状領域１０５ｂに対する信号Ｓｒの記録を、第２環状領域６１ｂに配設されている記録ヘッド５３ｂ，５３ｄに行わせる。つまり、ヘッド制御部６は、第２記録処理において、各帯状領域１０５に対する信号Ｓｒの記録を、互いに異なる各帯状領域１０５にそれぞれ対応付けられた環状領域６１に配設されている記録ヘッド５３にそれぞれ行わせる。この場合、各記録ヘッド５３ａ〜５３ｄは、同図および図１４に示すように、回転ドラム５２の回転に伴って移動しつつ信号Ｓｒを記録面１０４に記録する。
【００４５】
具体的には、例えば図１３に示すように、回転ドラム５２が１／４回転（９０゜）回転する間に、記録ヘッド５３ａ，５３ｂがその回転に伴って同図における左下側から右上側に移動し、記録ヘッド５３ａ，５３ｂの移動の軌跡に沿って信号Ｓｒが両帯状領域１０５に１トラックＴ分ずつ（合計で２トラックＴ分）記録される。次いで、回転ドラム５２がさらに１／４回転する間は、各記録ヘッド５３が記録面１０４に接触しないため、記録面１０４に信号Ｓｒが記録されない状態に維持される。続いて、図１４に示すように、回転ドラム５２がさらに１／４回転する間に、その回転に伴う記録ヘッド５３ｃ，５３ｄの移動の軌跡に沿って信号Ｓｒが両帯状領域１０５に１トラックＴ分ずつ（合計２トラックＴ分）さらに記録される。次いで、回転ドラム５２がさらに１／４回転する間は、各記録ヘッド５３が記録面１０４に接触しないため、記録面１０４に信号Ｓｒが記録されない状態に維持される。
【００４６】
これにより、回転ドラム５２が１回転する間に各帯状領域１０５にそれぞれ２トラックＴ分（合計で４トラックＴ分）の信号Ｓｒが記録される。つまり、この第２記録処理では、上記した第１記録処理の２倍の速度で信号Ｓｒの記録が行われ、磁気テープ１０３ａの記録面１０４には、単位長さ当り、２倍の量の信号Ｓｒが記録される。以後、上記の動作が繰り返されることにより、図１５に示すように、各記録ヘッド５３ａ〜５３ｄによって磁気テープ１０３ｂの記録面１０４に多数のトラックＴが並んだ状態で信号Ｓｒが記録される。つまり、この第２記録処理では、磁気テープ１０３ｂに対する信号Ｓｒの記録が回転ドラム５２に配設されている全ての記録ヘッド５３ａ〜５３ｄによって行われる。この場合、このドライブ装置１では、テープ幅が狭い磁気テープ１０３ａを巻き付ける際の巻き付け長と同じ短い巻き付け長で、磁気テープ１０３ｂが回転ドラム５２に巻き付けられている。このため、テープ幅が広いほど巻き付け長を長くする必要がある従来のドライブ装置と比較して、回転ドラム５２と磁気テープ１０３ｂとの間の摩擦抵抗に起因する磁気テープ１０３ｂの位置ずれを十分に低く抑えることが可能となっている。したがって、信号Ｓｒの記録を十分正確に行うことが可能となっている。
【００４７】
一方、記録を終了するときには、操作部７の停止スイッチを操作する。続いて、主制御部９が、操作信号Ｓｏに従い、ヘッド制御部６に対して第１記録再生処理を終了させると共に、モータ４ａ〜４ｄを停止させる。また、主制御部９は、巻付機構３に対して磁気テープ１０３ｂの巻き付けを解除させた後に、装填機構２に対して情報媒体１００ｂを挿入口側に移動させる。
【００４８】
次に、情報媒体１００ｂの磁気テープ１０３ｂに記録されている信号Ｓｒ信号の再生を行うときには、情報媒体１００ｂをドライブ装置１の挿入口から装置内部に向けて挿入する。この際に、主制御部９は、センサ８から出力された検出信号Ｓｄに応じて、装填機構２に対して情報媒体１００ｂを装填させる。次いで、操作部７の再生開始スイッチを操作する。続いて、主制御部９は、操作信号Ｓｏに従い、巻付機構３および各モータ４に対して上記した制御と同様の制御を行うことにより、磁気テープ１０３ｂの巻き付けを実行させると共に、磁気テープ１０３ｂの移動、送り出しおよび巻き取りを行わせる。
【００４９】
続いて、主制御部９は、センサ８から出力された特定信号Ｓｉに基づいて、装填された情報媒体１００が情報媒体１００ｂである旨を判別し、ヘッド制御部６に対して第２再生処理を実行させる。この第２再生処理では、ヘッド制御部６は、各再生ヘッド５４ａ〜５４ｄに対して、磁気テープ１０３ｂの記録面１０４に記録されている信号Ｓｒの再生を行わせる。この場合、ヘッド制御部６は、磁気テープ１０３ｂにおける両帯状領域１０５のうちの第１帯状領域１０５ａに記録されている信号Ｓｒの再生を、第１環状領域６１ａに配設されている再生ヘッド５４ａ，５４ｃに行わせる。また、ヘッド制御部６は、第２帯状領域１０５ｂに記録されている信号Ｓｒの再生を、第２環状領域６１ｂに配設されている再生ヘッド５４ｂ，５４ｄに行わせる。つまり、ヘッド制御部６は、第２再生処理において、各帯状領域１０５に記録されている信号Ｓｒの再生を、互いに異なる各帯状領域１０５にそれぞれ対応付けられた環状領域６１に配設されている再生ヘッド５４にそれぞれ行わせる。〜５４ｄは、図１６，１７に示すように、回転ドラム５２の回転に伴って移動しつつ信号Ｓｒを再生する。
【００５０】
具体的には、例えば図１６に示すように、回転ドラム５２が１／４回転（９０゜）回転する間に、再生ヘッド５４ａ，５４ｂがその回転に伴ってトラックＴに沿って同図における左下側から右上側に移動し、各帯状領域１０５に記録されている信号Ｓｒが１トラックＴ分ずつ（合計で２トラックＴ分）再生ヘッド５４ａ，５４ｂによってそれぞれ再生される。次いで、回転ドラム５２がさらに１／４回転する間は、各再生ヘッド５４が記録面１０４に接触しないため、信号Ｓｒが再生されない状態に維持される。続いて、図１７に示すように、回転ドラム５２がさらに１／４回転する間に、再生ヘッド５４ｃ，５４ｄがその回転に伴ってトラックＴに沿って移動し、各帯状領域１０５に記録されている信号Ｓｒがさらに１トラックＴ分ずつ（合計で２トラックＴ分）再生ヘッド５４ｃ，５４ｄによって再生される。次いで、回転ドラム５２がさらに１／４回転する間は、各再生ヘッド５４が記録面１０４に接触しないため、信号Ｓｒが再生されない状態に維持される。
【００５１】
これにより、回転ドラム５２が１回転する間に各帯状領域１０５に記録されている信号Ｓｒがそれぞれ２トラック分（合計で４トラックＴ分）だけ再生される。したがって、この第２再生処理では、上記した第１再生処理の２倍の速度で信号Ｓｒの再生が行われる。以後、上記の動作が繰り返されることにより、各再生ヘッド５４ａ〜５４ｄによって各帯状領域１０５に記録されている多数のトラックＴ分の信号Ｓｒが再生される。つまり、この第２再生処理では、磁気テープ１０３ｂの記録面１０４に記録されている信号Ｓｒの再生が回転ドラム５２に配設されている全ての再生ヘッド５４ａ〜５４ｄによって行われる。この場合、このドライブ装置１では、テープ幅が狭い磁気テープ１０３ａを巻き付ける際の巻き付け長と同じ短い巻き付け長で、磁気テープ１０３ｂが回転ドラム５２に巻き付けられている。このため、テープ幅が広いほど巻き付け長を長くする必要がある従来のドライブ装置と比較して、回転ドラム５２と磁気テープ１０３ｂとの間の摩擦抵抗に起因する磁気テープ１０３ｂの位置ずれを十分に低く抑えることが可能となっている。したがって、信号Ｓｒの再生を十分正確に行うことが可能となっている。
【００５２】
このように、このヘッド装置５、ドライブ装置１および記録再生方法によれば、回転ドラム５２の外周部を回転ドラム５２の厚み方向で２つに区画して回転ドラム５２の周方向に沿って環状となる各環状領域６１に記録ヘッドを２個ずつ配設すると共に、各環状領域６１に再生ヘッド５４を２個ずつ配設したことにより、テープ幅が狭い磁気テープ１０３ａに対しては環状領域６１のうちの第１環状領域６１ａに配設されている記録ヘッド５３および再生ヘッド５４を用いて、テープ幅が広い磁気テープ１０３ｂに対してはすべての記録ヘッド５３および再生ヘッド５４を用いることで、回転ドラム５２に対する磁気テープ１０３の巻き付け長を変更することなく２種類の磁気テープ１０３を用いての信号Ｓｒの記録や再生を行うことができる。したがって、このヘッド装置５およびドライブ装置１によれば、テープ幅に応じて異なるガイドローラ２２１が用いられ、しかもテープ幅に応じて回転ドラム２５２に対する磁気テープ１０３の巻き付け長を異ならせる従来のドライブ装置と比較して、巻付機構３の構造を十分に簡略化することができる。また、このヘッド装置５およびドライブ装置１によれば、テープ幅が広い磁気テープ１０３ｂを用いる際の巻き付け長を、テープ幅が狭い磁気テープ１０３ａを用いる際の巻き付け長と同じ短い巻き付け長にすることができるため、テープ幅が広いほど巻き付け長を長くする必要がある従来のドライブ装置と比較して、回転ドラム５２との間の摩擦抵抗に起因する磁気テープ１０３ｂの位置ずれを十分に低く抑えることができる。したがって、このヘッド装置５、ドライブ装置１および記録再生方法によれば、信号Ｓｒの記録や再生を十分正確に行うことができる。
【００５３】
また、このヘッド装置５、ドライブ装置１および記録再生方法によれば、各環状領域６１において回転ドラム５２の回転中心軸Ａを中心とする同一円周Ｃ１，Ｃ２に沿って複数の記録ヘッド５３および複数の再生ヘッド５４を等間隔に配列したことにより、磁気テープ１０３の移動速度および回転ドラム５２の回転速度を調整することで、トラックＴを等間隔にしかも密接させて記録密度を十分に高めた状態で信号Ｓｒを記録することができると共に、その状態で記録した信号Ｓｒを確実に再生することができる。
【００５４】
なお、本発明は、上記した構成に限定されない。例えば、ヘッド制御部６が、磁気テープ１０３ｂにおける第１帯状領域１０５ａのトラックＴと第２帯状領域１０５ｂのトラックＴとが不連続となる（図１５参照）上記の第２記録処理に代えて、図１８に示すように、両帯状領域１０５のトラックＴが互いに連続するように信号Ｓｒを記録する第３記録処理を実行する構成を採用することもできる。以下、一例として、上記したトラックＴの１２個分に相当する信号Ｓｒを第３記録処理によって磁気テープ１０３ｂに記録する例について、図１９〜図２３を参照して説明する。なお、発明の理解を容易とするため、これらの各図および以下の説明において、この信号ＳｒをトラックＴの長さで先頭から順番に分割した各分割信号Ｓｒをそれぞれ信号Ｓｒ１〜Ｓｒ１２として図示および説明を行う。また、これらの各図では、信号Ｓｒ１〜Ｓｒ１２を記録した記録ヘッド５３ａ〜５３ｄの符号を信号Ｓｒ１〜Ｓｒ１２の符号と共に図示する。
【００５５】
この第３記録処理では、ヘッド制御部６は、外部装置から入力した信号Ｓｒを図外のバッファに一時的に記憶させる。次いで、ヘッド制御部６は、図１９に示すように、信号Ｓｒのうちの所定数（磁気テープ１０３ｂのテープ幅、移動速度、および回転ドラム５２の直径や傾斜角度などによって規定される数であって、この例では３つ）のトラックＴ分の信号Ｓｒ２，Ｓｒ４，Ｓｒ６をこの順番で、回転ドラム５２の第２環状領域６１ｂに配設されている記録ヘッド５３ｂ，５３ｄ，５３ｂに順次出力して記録させる。この場合、この例では、回転ドラム５２が１．５回転する間に上記の３トラックＴ分の信号Ｓｒが記録ヘッド５３ｂ，５３ｄによって記録され、その間に磁気テープ１０３ｂが、ほぼ１トラックＴ分の信号Ｓｒを記録するのに必要な長さ（図２０に示す長さＤ）だけ移動する。
【００５６】
続いて、ヘッド制御部６は、図２０に示すように、信号Ｓｒ１，Ｓｒ８を、回転ドラム５２の第１環状領域６１ａに配設されている記録ヘッド５３ｃおよび第２環状領域６１ｂに配設されている記録ヘッド５３ｄにそれぞれ出力して記録させる。この場合、信号Ｓｒ１の記録開始時点において、磁気テープ１０３が長さＤだけ移動しているため、信号Ｓｒ１の記録終了時点における記録ヘッド５３ｃの位置が、信号Ｓｒ２の記録開始時点における位置と一致する。この結果、同図に示すように、信号Ｓｒ１が記録されたトラックＴと信号Ｓｒ２が記録されたトラックＴとが連続する。次いで、ヘッド制御部６は、図２１に示すように、信号Ｓｒ３，Ｓｒ１０を、記録ヘッド５３ａ，５３ｂにそれぞれ出力して記録させる。この場合、上記と同様にして、信号Ｓｒ３の記録終了時点における記録ヘッド５３ａの位置が、信号Ｓｒ４の記録開始時点における位置と一致する結果、同図に示すように、信号Ｓｒ３が記録されたトラックＴと信号Ｓｒ４が記録されたトラックＴとが連続する。
【００５７】
続いて、ヘッド制御部６は、図２２に示すように、信号Ｓｒ５，Ｓｒ１２を、記録ヘッド５３ｃ，５３ｄにそれぞれ出力して記録させる。この場合においても、上記と同様にして、同図に示すように、信号Ｓｒ５が記録されたトラックＴと信号Ｓｒ６が記録されたトラックＴとが連続する。次いで、ヘッド制御部６は、図２３に示すように、信号Ｓｒ７，Ｓｒ９，Ｓｒ１１をこの順番で、記録ヘッド５３ａ，５３ｃ，５３ａに順次出力して記録させる。この場合においても、上記と同様にして、同図に示すように、信号Ｓｒ７，Ｓｒ９，Ｓｒ１１が記録された各トラックＴと信号Ｓｒ８，Ｓｒ１０，Ｓｒ１２が記録されたトラックＴとがそれぞれ連続する。これにより、第３記録処理による信号Ｓｒ１〜Ｓｒ１２の記録が終了する。
【００５８】
ここで、この構成では、ヘッド制御部６が第３記録処理を実行することにより、両帯状領域１０５のトラックＴが互いに連続するように信号Ｓｒが記録される。このため、回転ドラム２５２の外周面に沿った長さの１／２程度の長さ（１８０゜）分だけ磁気テープ１０３ｂを回転ドラム２５２に巻き付けて、記録面１０４の下端部側から上側端部までトラックＴが連続するように信号Ｓｒを記録再生する従来のドライブ装置を用いて、第３記録処理によって磁気テープ１０３ｂに記録された信号Ｓｒを再生することができる。つまり、ヘッド制御部６が第３記録処理を実行するこのドライブ装置１によれば、磁気テープ１０３ｂ（情報媒体１００ｂ）の互換性を維持することができる。
【００５９】
また、ヘッド装置５における回転ドラム５２の各環状領域６１に記録ヘッド５３および再生ヘッド５４を２個ずつ配設した例について上記したが、記録ヘッド５３および再生ヘッド５４の数は１または３個以上の任意の数に規定することができる。また、環状領域６１の数も２つに限定されず３つ以上の任意の数に規定することができる。この場合、帯状領域１０５の数を環状領域６１の数と同じ数に規定すると共に、各帯状領域１０５と各環状領域６１とをそれぞれ対応付けることで、３つ以上の任意の数の帯状領域１０５に対する信号Ｓｒや各帯状領域１０５に記録されている信号Ｓｒの再生を、各環状領域６１に配設された記録ヘッド５３や再生ヘッド５４にそれぞれ行わせることができる。
【００６０】
さらに、各環状領域６１に記録ヘッド５３および再生ヘッド５４のいずれか一方のみを配設したヘッド装置を採用することもできる。また、記録ヘッド５３のみを配設したヘッド装置を備えた記録専用のドライブ装置に本発明を適用することもできるし、再生ヘッド５４のみを配設したヘッド装置を備えた再生専用のドライブ装置に本発明を適用することもできる。また、テープ幅が互いに異なる２種類の情報媒体１００ａ，１００ｂを用いるドライブ装置１を例に挙げて説明したが、テープ幅が互いに異なる３種類以上の情報媒体１００を用いるドライブ装置に適用することもできる。
【図面の簡単な説明】
【００６１】
【図１】ドライブ装置１の構成を示すブロック図である。
【図２】情報媒体１００ａ，１００ｂの平面図である。
【図３】情報媒体１００ａの断面図である。
【図４】情報媒体１００ｂの断面図である。
【図５】ヘッド装置５に対する磁気テープ１０３の巻き付け方法を説明するための第１の説明図である。
【図６】ヘッド装置５に対する磁気テープ１０３の巻き付け方法を説明するための第２の説明図である。
【図７】ヘッド装置５の構成を説明するための説明図である。
【図８】第１記録処理を説明するための第１の説明図である。
【図９】第１記録処理を説明するための第２の説明図である。
【図１０】信号Ｓｒが記録された状態の磁気テープ１０３ａの平面図である。
【図１１】第１再生処理を説明するための第１の説明図である。
【図１２】第１再生処理を説明するための第２の説明図である。
【図１３】第２記録処理を説明するための第１の説明図である。
【図１４】第２記録処理を説明するための第２の説明図である。
【図１５】信号Ｓｒが記録された状態の磁気テープ１０３ｂの平面図である。
【図１６】第２再生処理を説明するための第１の説明図である。
【図１７】第２再生処理を説明するための第２の説明図である。
【図１８】第３記録処理によって信号Ｓｒが記録された状態の磁気テープ１０３ｂの平面図である。
【図１９】第３記録処理の記録処理を説明するための第１の説明図である。
【図２０】第３記録処理の記録処理を説明するための第２の説明図である。
【図２１】第３記録処理の記録処理を説明するための第３の説明図である。
【図２２】第３記録処理の記録処理を説明するための第４の説明図である。
【図２３】第３記録処理の記録処理を説明するための第５の説明図である。
【図２４】従来のドライブ装置による磁気テープ１０３ａに対する信号の記録方法を説明するための説明図である。
【図２５】従来のドライブ装置による磁気テープ１０３ｂに対する信号の記録方法を説明するための説明図である。
【図２６】従来のドライブ装置によるヘッド装置５に対する磁気テープ１０３の巻き付け状態を説明するための説明図である。
【符号の説明】
【００６２】
１  ドライブ装置
３  巻付機構
５  ヘッド装置
６  ヘッド制御部
５２  回転ドラム
５３ａ〜５３ｄ  記録ヘッド
５４ａ〜５４ｄ  再生ヘッド
６１ａ  第１環状領域
６１ｂ  第２環状領域
１０３ａ，１０３ｂ  磁気テープ
１０４  記録面
１０５ａ  第１帯状領域
１０５ｂ  第２帯状領域
Ａ  回転中心軸
Ｃ１，Ｃ２  円周
Ｓｒ  信号
【図１】
2009026373.tif 000003
【図２】
2009026373.tif 000004
【図３】
2009026373.tif 000005
【図４】
2009026373.tif 000006
【図５】
2009026373.tif 000007
【図６】
2009026373.tif 000008
【図７】
2009026373.tif 000009
【図８】
2009026373.tif 000010
【図９】
2009026373.tif 000011
【図１０】
2009026373.tif 000012
【図１１】
2009026373.tif 000013
【図１２】
2009026373.tif 000014
【図１３】
2009026373.tif 000015
【図１４】
2009026373.tif 000016
【図１５】
2009026373.tif 000017
【図１６】
2009026373.tif 000018
【図１７】
2009026373.tif 000019
【図１８】
2009026373.tif 000020
【図１９】
2009026373.tif 000021
【図２０】
2009026373.tif 000022
【図２１】
2009026373.tif 000023
【図２２】
2009026373.tif 000024
【図２３】
2009026373.tif 000025
【図２４】
2009026373.tif 000026
【図２５】
2009026373.tif 000027
【図２６】
2009026373.tif 000028